(57)【要約】【課題】  強度の十分な鉄筋コンクリート製ベタ基礎を構成できるとともに、木造住宅として妥当なコストで適切な強度バランスをもたらす好ましい配筋構造等を提供する。【解決手段】  木造住宅用ベタ基礎を構成する配筋構造として、a)上下に平行に配置された２本を一組とする縦筋１１であって複数組が左右に間隔をおいて平行に配置されたものと、b)上下にジグザグ（波形）に折れ曲がっていて上記各組（上下２本）の縦筋１１にそれぞれ溶接された複数の斜力筋１２と、c)上記縦筋１１と直交する方向に配置されて上記縦筋１１のうち上段のものにのみ溶接された複数の横筋１３と――によって形成された立体溶接金網１０を含める。【選択図】    図１
0003216537.tif 000002
【実用新案登録請求の範囲】
【請求項１】
木造住宅における鉄筋コンクリート造りのベタ基礎に組み込まれる配筋構造であって、
a)  上下に平行に配置された２本を一組とし、複数組が左右に間隔をおいて平行に配置された複数の縦筋と、
b)  上下にジグザグに折れ曲がっていて上記各組の縦筋にそれぞれ溶接された複数の斜力筋と、
c)  上記縦筋と直交する方向に配置され、上記縦筋のうち上段のものにのみ溶接された複数の横筋と
によって形成された立体溶接金網を含むことを特徴とする配筋構造。
【請求項２】
上記立体溶接金網における斜力筋について、横筋に沿った方向に見るとき折れ曲がりの形状と位置とが揃っていることにより、斜力筋の一部と上記縦筋との間に、略多角形の断面を有し横筋に沿った方向に延びた柱状空間が形成されていて、
複数組の立体溶接金網が地面に設置され、縦筋が平行に隣接する２組の立体溶接金網にわたり上記柱状空間が上記横筋に沿った方向に連続している状態で、
上記断面よりも小さい相似状略多角形断面の各頂点の位置に鉄筋を配置した金網柱状体が、隣接する２組の立体溶接金網にまたがるよう上記柱状空間内に挿入されている
ことを特徴とする請求項１に記載の配筋構造。
【請求項３】
木造住宅における鉄筋コンクリート造りのベタ基礎に組み込まれる配筋構造であって、
a)  左右に間隔をおいて平行に配置された複数の縦筋と、
b)  上記縦筋と直交する方向に配置されて上記縦筋に溶接された複数の横筋と、
c)  左右にジグザグに折れ曲がっていて、上記縦筋と上記横筋とが交差する箇所で上記縦筋または上記横筋に溶接された複数の斜力筋と
によって形成された溶接金網を含むことを特徴とする配筋構造。
【請求項４】
自立を可能にする水平部分を含むベース部鉄筋と、それより上方へ延びた立ち上がり部鉄筋とを有する外周用溶接金網が、上記住宅の外周部分に設置され、当該外周用溶接金網の上記ベース部鉄筋の上に、上記の立体溶接金網が載せられている
ことを特徴とする請求項１〜３のいずれかに記載の配筋構造。
【請求項５】
上記住宅の間仕切り壁の位置で、上記の立体溶接金網の上に、自立を可能にする水平部分を含むベース部鉄筋と、それより上方へ延びた立ち上がり部鉄筋とを有する間仕切り用溶接金網が載せられている
ことを特徴とする請求項１〜４のいずれかに記載の配筋構造。
【請求項６】
木造住宅における鉄筋コンクリート造りのベタ基礎構造であって、
請求項１〜５のいずれかに記載の配筋構造と、その配筋構造に打設されたコンクリートとによって構成されていることを特徴とするベタ基礎構造。
【考案の詳細な説明】
【技術分野】
【０００１】
本考案は、木造住宅における鉄筋コンクリート造りのベタ基礎に使用される配筋構造、およびそれを含めて施工されたベタ基礎構造に関するものである。
【背景技術】
【０００２】
木造住宅のベタ基礎を鉄筋コンクリートによって構成する際、従来は、鉄筋を縦・横の互いに直角な方向にのみ配しスポット溶接して製作された図９のような溶接金網が配筋として使用されている。そのような平面的な溶接金網を地面上に置き、そこにコンクリートを打設してベタ基礎とするのである。
【０００３】
一方、本格的な鉄筋コンクリート構造物を構成する場合には、構造性能を長期間維持できるよう、配筋として、図９のものよりも機械的強度の高い溶接金網が使用されるのが一般的である。図１０に示す立体溶接金網もその一例である。
図１０の立体溶接金網は、
イ）上下に平行に配置された２本を一組とする縦筋１１’であって、複数組が左右に間隔をおいて平行に配置された複数のものと、
ロ）上下にジグザグに折れ曲がっていて上記各組（上下２本）の縦筋１１’にそれぞれ溶接（スポット溶接）された複数の斜力筋１２’と、
ハ）上記縦筋１１’のうち上段のもの、および下段のものにそれぞれ溶接（スポット溶接）されて上記縦筋１１’と直交する方向に配置された複数の横筋１３’と
によって形成されている。
なお、図９・図１０に示す各溶接金網は、下記の特許文献１に記載されたものである。
【先行技術文献】
【特許文献】
【０００４】
【特許文献１】特開平７−２０７８３８号公報
【考案の概要】
【考案が解決しようとする課題】
【０００５】
図９のような平面的な溶接金網は、木造住宅のベタ基礎の配筋に多く使用されるものであるが、強度的には必ずしも十分でなかった。一平面内でのみ広がりを有するものであるため、面外に及ぶ外力に抗することができないほか、面内の力に対しても、スポット溶接された部分が十分な剪断抗力を発揮しがたいからである。
【０００６】
一方、図１０に示す立体溶接金網は、大型の構造物には適しているとしても、木造住宅のベタ基礎の配筋とするうえでは過剰仕様と考えられる。高強度であること自体は好ましいが、鉄筋とその溶接箇所が多いため、コストがきわめて高くなる。また、それを使用するとベタ基礎の強度のみが突出して高くなり、強度バランスの優れた木造住宅を構成することにはならない。
そのほか、上記特許文献１には、図１０のような立体溶接金網を他の金網等とどのように組み合わせて使用するかが具体的に提案されていない。
【０００７】
本考案は、上記のような課題を解決すべく、強度の十分な鉄筋コンクリート製ベタ基礎を構成できるとともに、木造住宅として妥当なコストで適切な強度バランスをもたらす好ましい配筋構造等を提供しようとするものである。
【課題を解決するための手段】
【０００８】
本考案は、木造住宅における鉄筋コンクリート造りのベタ基礎に組み込まれる配筋構造であって、
a)  上下に平行に配置された２本を一組とし、複数組が左右に間隔をおいて平行に配置された複数の縦筋と、
b)  上下にジグザグ（波形）に折れ曲がっていて上記各組（上下２本）の縦筋にそれぞれ溶接された複数の斜力筋と、
c)  上記縦筋と直交する方向に配置され、上記縦筋のうち上段（上側）のものにのみ溶接された複数の横筋と
によって形成された立体溶接金網が含まれていることを特徴とする。
図１は考案の立体溶接金網を例示するもので、図中の符号１１（１１ａ・１１ｂ）が縦筋、１２が斜力筋、１３が横筋である。横筋は、上段の縦筋にのみ溶接すればよいが、図１のように縦筋の長さ方向の両端付近のみにおいては下段の縦筋にも溶接して接続するのもよい（図１において下段の縦筋１１の両端付近のみに横筋１４を接続している）。先に説明した図１０の立体溶接金網とは、下段の縦筋の多く（中ほどに位置するもの）に対しては横筋が接続されていない点で相違する。
こうした金網を工場内で製造し、建設現場の地面上に複数組敷設することにより、ベタ基礎の配筋構造として使用するとよい。
【０００９】
このような立体溶接金網を含む配筋構造は、三次元の広がりを有するために面内および面外の力に抗することができ、したがって強度の十分な鉄筋コンクリート製ベタ基礎を構成できる。また、木造住宅（高層建物を含む）として適切な強度バランスをもたらす鉄筋コンクリート製ベタ基礎を、妥当なコストで実現することが可能である。
こうした立体溶接金網を事前に工場で製造しておく（プレファブ化する）ことができ、それにより、現場での作業を簡単化することもできる。つまり、立体溶接金網を敷き並べたうえ在来の型枠を用いてコンクリートの打設を行うことにより、ベタ基礎を効率的に構成できる。
【００１０】
考案による上記配筋構造においては、とくに、
・  立体溶接金網における上記複数の斜力筋について、横筋に沿った方向に見るとき折れ曲がりの形状と位置とが揃っている（つまり、波形状の斜力筋の位相が各横筋の位置で同じである）ことにより、斜力筋の一部と上記縦筋との間に、略多角形の断面を有し横筋に沿った方向に延びた柱状空間が形成されていて、
・  複数組の立体溶接金網が地面に設置され、縦筋が平行に隣接する２組の立体溶接金網にわたり上記柱状空間が上記横筋に沿った方向に連続している状態で、
・  上記断面よりも小さい相似状略多角形断面の各頂点の位置に鉄筋を配置した金網柱状体が、隣接する２組の立体溶接金網にまたがるよう上記柱状空間（上記のとおり２組間に連続する空間）内に挿入されていると好ましい。
図２（ａ）（ｂ）に、上記した金網柱状体の一例を示す。そのような金網柱状体を、隣接する２組の立体溶接金網における連続した柱状空間（たとえば図１において符号１５の柱状空間が横筋１３と平行に連続して存在する）内に挿入することにより、立体溶接金網を複数組配置した配筋構造を構成する。図６には、立体溶接金網１０と金網柱状体２０を使用して構成した配筋構造を例示している。複数組の立体溶接金網を図示のように金網柱状体で接続することにより一連の配筋とするわけである。そのため、各組の立体溶接金網の寸法（すなわち縦筋および横筋の各長さ）は、たとえば数メートル程度の短いものでよい。
【００１１】
複数組の立体溶接金網と金網柱状体とを上記のように配置した上記配筋構造によれば、
・  各組の立体溶接金網を比較的小型にすることができるため、その輸送および建設現場での取扱い等が容易になる、
・  金網柱状体が、隣接する立体溶接金網間の柱状空間内に挿入されやすく、また、挿入された状態が安定的に維持されるため、金網の配置からコンクリートの打設までの作業を実施しやすい、
・  金網柱状体も鉄筋を立体的に配置したものであるため、それぞれの立体溶接金網の継ぎ目において、施工後の鉄筋コンクリートに強度的な不連続が発生しがたい、
といった利点がある。
【００１２】
また、本考案の配筋構造は、木造住宅における鉄筋コンクリート造りのベタ基礎に組み込まれるものであって、
a)  左右に間隔をおいて平行に配置された複数の縦筋と、
b)  上記縦筋と直交する方向に配置されて上記縦筋に溶接された複数の横筋と、
c)  左右にジグザグに折れ曲がっていて、上記縦筋と上記横筋とが交差する箇所で上記縦筋または上記横筋に溶接された複数の斜力筋と
によって形成された溶接金網を含むように構成するのもよい。たとえば、図８に例示する溶接金網５０を使用するのである。ただし図８の例では、一体に構成される１枚の溶接金網５０において、外側付近の縦筋５１および横筋５２の配置間隔を、内側での配置間隔よりも狭くして強度を高めている。
このような溶接金網は、縦筋と横筋のみではなく、それらと斜めに交差するように斜力筋を溶接して構成することから、全体的に平面的なものではあっても従来のもの（図９を参照）に比べて高強度であり、３〜４階程度の木造建物のベタ基礎において十分な強度を発揮する。
なお、ベタ基礎の面積が広い場合には、図示のような溶接金網を複数組連続して配置することになるが、その場合は、隣接する溶接金網の外側付近同士を針金（番線）によって連結するとよい。
【００１３】
上記配筋構造については、さらに、自立を可能にする水平部分を含むベース部鉄筋と、それより上方へ延びた立ち上がり部鉄筋とを有する外周用溶接金網が、上記住宅の外周部分に設置され、当該外周用溶接金網の上記ベース部鉄筋の上に、上記の立体溶接金網または溶接金網が載せられたものであるとよい。
外周用溶接金網としては、図３に例示した金網３０等を使用することができる。とくに住宅のいわゆる出隅部分（外向きに凸となる角部）には図３（ｂ）のような金網３１を、いわゆる入り隅部分（内向きに凸となる角部）には図３（ｃ）のような金網３２を、それぞれ外周用溶接金網として使用できる。それら外周用溶接金網におけるベース部鉄筋の水平部分の上に、上記した立体溶接金網（または溶接金網）をたとえば図６のように載せ、各金網間を針金等で結束して配置するのが好ましい。
なお、図３に示す金網３０では、立ち上がり部（建物外周部）の鉄筋が単筋（一重）であるが、高層建物の場合には、当該単筋部分に図１の金網１０などを縦に添え、複筋として施工するとよい。
【００１４】
そのように外周用溶接金網と立体溶接金網とを組み合わせて配筋構造とするなら、
・  住宅のベタ基礎と外周の立ち上がり部分とを、一体的な鉄筋コンクリート構造とすることができる、
・  外周用溶接金網と立体溶接金網とを、図面に基づき事前に工場で製造しておくことができ、建設現場においては両者を組み合わせて敷き並べるだけで、ベタ基礎と外周の立ち上がり部分との双方に及ぶ配筋を容易に構成できる、
・  ベタ基礎を構成するためのコンクリートを打設したのち、短時間の経過後（コンクリートが固化し始めたとき）に、外周の立ち上がり部分のコンクリートを打つことが可能となり、双方のコンクリートを同日中に打設することが難しくないため、工期を短縮することができ建設コストを低減することも可能になる、
といった利点がある。
【００１５】
上記配筋構造については、また、間仕切り壁を形成する位置で、上記の立体溶接金網（または上記の溶接金網）の上に、自立を可能にする水平部分を含むベース部鉄筋と、それより上方へ延びた立ち上がり部鉄筋とを有する間仕切り用溶接金網が載せられているとよい。
間仕切り用溶接金網としては、図４に例示した金網４０等を使用することができる。その端部は、上記した外周用溶接金網に接続したり、または、同じ図４に例示する補強用金網４１に接続したりする。それら間仕切り用溶接金網は、たとえば図７のように、そのベース部鉄筋の水平部分を上記立体溶接金網（の縦筋）の上に載せ、針金等で結束して配置するとよい。
【００１６】
上記した立体溶接金網（または溶接金網）の上にこのように間仕切り用溶接金網を載せて配筋構造とする場合にも、
・  ベタ基礎と間仕切り壁の立ち上がり部分とを、一体的な鉄筋コンクリート構造にすることができる、
・  立体溶接金網（または溶接金網）と間仕切り用溶接金網とを工場で製造しておくと、現場における配筋作業を容易にすることができる、
・  ベタ基礎用のコンクリートを打設したのち短時間で間仕切り壁用の立ち上がり部分のコンクリートを打つことができ、工期の短縮と建設コストの低減とを実現できる、
といった利点がある。
【００１７】
考案によるベタ基礎構造は、木造住宅における鉄筋コンクリート造りのものであって、上記いずれかの配筋構造と、その配筋構造に打設されたコンクリートとによって構成されていることを特徴とする。
かかるベタ基礎構造によれば、十分な機械的強度がもたらされるとともに、木造住宅として適切な強度バランスが妥当なコストで実現される。立体溶接金網や溶接金網、金網柱状体、外周用溶接金網または間仕切り用溶接金網を事前に工場で製造すると、建設現場での作業を簡単化できるという利点もある。
【考案の効果】
【００１８】
本考案によれば、高層建物を含む木造住宅用として十分な強度を有する鉄筋コンクリート製ベタ基礎を妥当なコストで構成することができる。また、基礎配筋をプレファブ化することができ、建設現場において配筋の配置からコンクリートの打設までの作業を、短時間で円滑に、低コストで行うことが可能になる。外周壁や間仕切り壁の施工をも容易にすることが可能である。
【図面の簡単な説明】
【００１９】
【図１】考案の一例としての立体溶接金網１０を示す斜視図である。
【図２】図２（ａ）（ｂ）のそれぞれは、金網柱状体２０・２５を示す斜視図である。
【図３】図３（ａ）は外周用溶接金網３０を示す斜視図である。同（ｂ）は、出隅部分に使用する外周用溶接金網３１を、また同（ｃ）は、入り隅部分に使用する外周用溶接金網３２を、それぞれ示す斜視図である。
【図４】間仕切り用溶接金網４０と、その補強に用いる間仕切り用溶接金網４１とを示す斜視図である。
【図５】外周用溶接金網３０・３１・３２を設置した状態を示す斜視図である。
【図６】外周用溶接金網３０・３１・３２（のベース部鉄筋）の上に、複数組の立体溶接金網１０を設置し、隣接する立体溶接金網１０間を金網柱状体２０で接続した状態を示す斜視図である。
【図７】立体溶接金網１０の上に間仕切り用溶接金網４０を設置した状態を示す斜視図である。
【図８】図１の立体溶接金網１０に代えて使用できる溶接金網５０を示す斜視図である。
【図９】従来の平面的な溶接金網を示す図（平面図）である。
【図１０】従来の立体溶接金網を示す斜視図である。
【考案を実施するための形態】
【００２０】
図１〜図７に、木造住宅（たとえば５階建て以上のもの）における鉄筋コンクリート製ベタ基礎を施工するための配筋構造について実施例を示す。この例では、図１〜図４に示す各種金網類を、鉄筋の加工装置等を備えた工場内で事前に製作し、それらを、当該住宅の施工現場に搬入して図５〜図７のように配置したうえ、コンクリートを打設してベタ基礎とする。
【００２１】
工場内では、下記i)〜iv)に示す金網類を製作しておく。
i)  立体溶接金網１０（図１を参照）
この立体溶接金網１０は、直径が１０ｍｍ程度の異形鉄筋（表面に凹凸を付けた棒状鋼材）を材料とし、それらを切断および曲げ加工し、スポット溶接することによって立体的な金網状にしたものである。
すなわち、立体溶接金網１０は、a)上下に平行に配置された２本（１１ａ・１１ｂ）を一組とし、複数組が左右に間隔をおいて平行に配置された複数の縦筋１１と、b)上下にジグザグに（三角波状に規則的に）折れ曲がっていて、上記各組の縦筋１１ａ・１１ｂにそれぞれ溶接された複数の斜力筋１２と、c)上記縦筋１１と直交する方向に配置され、上記縦筋１１のうち上段のもの１１ａに溶接された複数の横筋１３とによって形成している。ただし、図１の例では、立体溶接金網１０の強度を上げるため、縦筋１１の両端付近のみにおいて、下段の縦筋１１ｂにも横筋１４を溶接している。
縦筋１１・横筋１３等の長さは、工場からの輸送や建設現場での取扱いの便宜を考慮して２〜３メートルとする。
【００２２】
ii)  金網柱状体２０（図２（ａ）を参照）
金網柱状体２０は、図１の立体溶接金網１０同士を接続するためのもので、図２（ａ）に示す略三角柱の横断面を有する金網である。すなわち、三角形の三つの頂点の位置に２本の異形鉄筋２１とやや細めの鉄筋２１ａとを配置し、複数の細めの鉄筋を連結材２２として当該３本の鉄筋２１・２１ａを連結したものである。各鉄筋２１・２１ａと連結材２２とはスポット溶接にて一体化している。
この金網柱状体２０は、図１の立体溶接金網１０同士を接続するためのものである。すなわち、図１の立体溶接金網１０は、各横筋１３の位置で斜力筋１２の位相（三角波における高さ）が同じになるように製作しているため、斜力筋１２の一部と縦筋１１との間には、横筋１３の長さ方向に延びた三角形断面の柱状空間１５が存在する。そして、２組以上の立体溶接金網１０を縦筋１１が平行に隣接するよう地面に設置するとき、柱状空間１５を２組の立体溶接金網１０にわたって連続させることができる。金網柱状体２０（図２）における３本の鉄筋２１・２１ａは、柱状空間１５の三角形断面と相似であって僅かに小さい三角形断面を形成するように配置しているため、隣接する２組の立体溶接金網１０における連続する柱状空間１５にまたがるように挿入することができる。つまり、図６のように、隣接して配置される２組の立体溶接金網１０の間を、この金網柱状体２０によって接続するのである。
なお、図２（ａ）に示す金網柱状体２０に代えて、図２（ｂ）の金網柱状体２５を同じ目的に使用してもよい。金網柱状体２５も、三角形の三つの頂点の位置に２本の異形鉄筋２１とやや細めの鉄筋２１ａとを配置し、波形に曲げ加工した２本の細めの鉄筋を連結材２６として当該３本の鉄筋２１・２１ａに溶接したものである。こうした金網柱状体２５も、隣接する２組の立体溶接金網１０の柱状空間１５にまたがるように挿入して、それらの立体溶接金網１０間を接続することができる。
【００２３】
iii)  外周用溶接金網３０・３１・３２（図３（ａ）（ｂ）（ｃ）を参照）
外周用溶接金網３０は、建設しようとする住宅の外周壁の下部コンクリート用配筋とする金網である。上記と同様の異形鉄筋を用いて、自立を可能にする水平部分を含むベース部鉄筋３０ａと、それより上方へ延びた立ち上がり部鉄筋３０ｂとを一体にしたものである。
住宅外周部のうち、いわゆる出隅部分の配筋のためには、図３（ｂ）に示す外周用溶接金網３１を製作し、また、いわゆる入り隅部分の配筋としては、図３（ｃ）のような外周用溶接金網３２を製作する。両者とも、自立を可能にする水平部分を含むベース部鉄筋３１ａ・３２ａと、上方へ延びた立ち上がり部鉄筋３１ｂ・３２ｂとを一体にしたものである。
【００２４】
iv)  間仕切り用溶接金網４０およびその補強用金網４１（図４を参照）
これらは、建設する住宅の間仕切り壁の下部コンクリート用配筋とする金網である。上記したものと同様の異形鉄筋により、自立を可能にする水平部分を含むベース部鉄筋４０ａと、それより上方へ延びた立ち上がり部鉄筋４０ｂとを一体に形成している。補強用金網４１についても、同様に、ベース部鉄筋４１ａと立ち上がり部鉄筋４１ｂとを一体にしている。
図４に示す間仕切り用溶接金網４０や補強用金網４１、または図３の外周用溶接金網３０・３１・３２は、上下に延びた部分を含む各鉄筋を曲げ加工した後に他の鉄筋を溶接してもよいが、曲げ加工する前に平面状態で鉄筋同士の交点をスポット溶接しておき、その後にプレス機等で曲げることによって所定の（図示の）形状・寸法にするのもよい。
【００２５】
住宅建設現場でのベタ基礎の施工工事は、上記i)〜iv)の各金網類を使用し、つぎのような手順で実施することができる。なお、基礎部分の地盤について調査・改良が完了し、捨てコンクリートが打設されて地墨が引かれているものとする。
1)  まず、住宅の外周部分に、図５のように外周用溶接金網３０・３１・３２を設置して針金等で互いに結束する。直線状の外周部分には図３（ａ）の外周用溶接金網３０を、出隅部分には図３（ｂ）の金網３１を、また入り隅部分には図３（ｃ）の金網３２を設置する。いずれの金網も、ベース部鉄筋３０ａ・３１ａ・３２ａを地面上に設置（水平部分が室内側にあるように）して自立させ、立ち上がり部鉄筋３０ｂ・３１ｂ・３２ｂを上に向ける。
【００２６】
2)  上記1)で設置した外周用溶接金網３０・３１・３２のベース部鉄筋３０ａ・３１ａ・３２ａ（の室内側）の上に、図６のように立体溶接金網１０を載せる。住宅の居室スペースに合わせて立体溶接金網１０は複数設置するが、隣接する２組の立体溶接金網１０の間を、図示のとおり、前記した柱状空間１５内に金網柱状体２０を挿入することによって立体溶接金網１０同士を接続する。
【００２７】
3)  上記2)によって設置した立体溶接金網１０の上に、１階の間仕切り壁の位置に合わせて、図７のように、間仕切り用溶接金網４０を設置する。すなわち、ベース部鉄筋４０ａを立体溶接金網１０の縦筋１１上に置いて自立させ、立ち上がり部鉄筋４０ｂを上に向ける。なお、間仕切り用溶接金網４０の端部は、外周用溶接金網３０の一部に針金等で結束し、または、図示のように補強用金網４１で支えるとよい。
【００２８】
4)  外周用溶接金網３０・３１・３２のうちベース部鉄筋３０ａ・３１ａ・３２ａの部分と、その上に設置した立体溶接金網１０との範囲にコンクリートを打設する。
【００２９】
5)  上記のコンクリートが固まり始めた時点で、外周用溶接金網３０・３１・３２の立ち上がり部鉄筋３０ｂ・３１ｂ・３２ｂ、および間仕切り用溶接金網４０の立ち上がり部鉄筋４０ｂを挟む位置に型枠（図示省略）を設けたうえ、当該型枠内にコンクリートを打設する。
【００３０】
上記4)・5)のコンクリートが固まると、建設する木造住宅のベタ基礎と、外周壁および間仕切り壁の壁下となる鉄筋コンクリートとが完成する。
【００３１】
３〜４階程度の木造住宅にあっては、図１に示す立体溶接金網１０に代えて図８の溶接金網５０をベタ基礎に組み込むのもよい。図８の溶接金網５０は、
a)  左右に間隔をおいて平行に配置された複数の縦筋５１と、
b)  縦筋５１と直交する方向に配置されて縦筋５１にスポット溶接された複数の横筋５２と、
c)  左右にジグザグに（水平面内で三角波状に規則的に）折れ曲がっていて、縦筋５１と横筋５２とが交差する箇所で縦筋５１または横筋５２にスポット溶接された複数の斜力筋と、によって形成されている。
縦筋５１および横筋５２は直径１０ｍｍの異形鉄筋であり、斜力筋５３は直径５〜８ｍｍの鉄筋である。斜力筋５３を含めることによって剛性および強度を高めた点に特徴がある。縦筋５１同士および横筋５２同士の配置間隔は原則として３００ｍｍであるが、強度を補う目的で、外周（外縁部）付近では縦筋５１・横筋５２とも配置間隔を１５０ｍｍ程度に狭めている。
この溶接金網５０は平面的な構造を有していて前記の金網柱状体２０（図２参照）を内部に挿入することができないため、隣接する金網５０との間は、外側付近の縦筋５１同士または横筋５２同士を番線によって連結するとよい。
【符号の説明】
【００３２】
１０  立体溶接金網
１１  縦筋
１２  斜力筋
１３  横筋
２０  金網柱状体
３０・３１・３２  外周用溶接金網
３０ａ・３１ａ・３２ａ  ベース部鉄筋
３０ｂ・３１ｂ・３２ｂ  立ち上がり部鉄筋
４０  間仕切り用溶接金網
４０ａ  ベース部鉄筋
４０ｂ  立ち上がり部鉄筋
５０  溶接金網
【図１】
0003216537.tif 000003
【図２】
0003216537.tif 000004
【図３】
0003216537.tif 000005
【図４】
0003216537.tif 000006
【図５】
0003216537.tif 000007
【図６】
0003216537.tif 000008
【図７】
0003216537.tif 000009
【図８】
0003216537.tif 000010
【図９】
0003216537.tif 000011
【図１０】
0003216537.tif 000012
【手続補正書】
【提出日】平成30年4月5日(2018.4.5)
【手続補正１】
【補正対象書類名】実用新案登録請求の範囲
【補正対象項目名】全文
【補正方法】変更
【補正の内容】
【実用新案登録請求の範囲】
【請求項１】
木造住宅における鉄筋コンクリート造りのベタ基礎に組み込まれる配筋構造であって、
a)  上下に平行に配置された２本を一組とし、複数組が左右に間隔をおいて平行に配置された複数の縦筋と、
b)  上下にジグザグに折れ曲がっていて上記各組の縦筋にそれぞれ溶接された複数の斜力筋と、
c)  上記縦筋と直交する方向に配置され、上記縦筋のうち上段のものにのみ溶接された複数の横筋と
によって形成された立体溶接金網を含むことを特徴とする配筋構造。
【請求項２】
上記立体溶接金網における斜力筋について、横筋に沿った方向に見るとき折れ曲がりの形状と位置とが揃っていることにより、斜力筋の一部と上記縦筋との間に、略多角形の断面を有し横筋に沿った方向に延びた柱状空間が形成されていて、
複数組の立体溶接金網が地面に設置され、縦筋が平行に隣接する２組の立体溶接金網にわたり上記柱状空間が上記横筋に沿った方向に連続している状態で、
上記断面よりも小さい相似状略多角形断面の各頂点の位置に鉄筋を配置した金網柱状体が、隣接する２組の立体溶接金網にまたがるよう上記柱状空間内に挿入されている
ことを特徴とする請求項１に記載の配筋構造。
【請求項３】
木造住宅における鉄筋コンクリート造りのベタ基礎に組み込まれる配筋構造であって、
a)  左右に間隔をおいて平行に配置された複数の縦筋と、
b)  上記縦筋と直交する方向に配置されて上記縦筋に溶接された複数の横筋と、
c)  左右にジグザグに折れ曲がっていて、上記縦筋と上記横筋とが交差する箇所で上記縦筋または上記横筋に溶接された複数の斜力筋と
によって形成された溶接金網を含むことを特徴とする配筋構造。
【請求項４】
自立を可能にする水平部分を含むベース部鉄筋と、それより上方へ延びた立ち上がり部鉄筋とを有する外周用溶接金網が、上記住宅の外周部分に設置され、当該外周用溶接金網の上記ベース部鉄筋の上に、上記の立体溶接金網が載せられている
ことを特徴とする請求項１または２に記載の配筋構造。
【請求項５】
上記住宅の間仕切り壁の位置で、上記の立体溶接金網の上に、自立を可能にする水平部分を含むベース部鉄筋と、それより上方へ延びた立ち上がり部鉄筋とを有する間仕切り用溶接金網が載せられている
ことを特徴とする請求項１、２または４のいずれかに記載の配筋構造。
【請求項６】
木造住宅における鉄筋コンクリート造りのベタ基礎構造であって、
請求項１〜５のいずれかに記載の配筋構造と、その配筋構造に打設されたコンクリートとによって構成されていることを特徴とするベタ基礎構造。